(57)【要約】【課題】多数の電気音響変換器ユニットの接続を簡便にし、性能改善した電気音響変換器に関する。【解決手段】本発明の電気音響変換器ユニットは増設用出力端子８および増設用出力端子９を設けている。このことによって、電気音響変換器ユニットを多数組み合わせて使用する場合には、図２に示すように各ユニットの駆動信号入力端子６と各ユニットに隣接するユニットの増設用出力端子８を接続することが可能となり、電気音響変換器ユニットの接続が従来に比べて簡便となる。【選択図】図２
2008067116.tif 000002
【特許請求の範囲】
【請求項１】
基板上に導線がプリントされた複数個のプリント体を縦続接続したプリント体ユニットと、前記基板の一端部に設けられ、前記プリント体ユニットを駆動する駆動信号が入力される駆動信号入力端子と、前記基板の他端部に設けられ、前記駆動信号入力端子に入力される駆動信号をそのまま出力する駆動信号出力端子とを備える基板ユニットが縦続接続された基板ブロックであって、前記基板ユニットの駆動信号入力端子と接続、増設した増設用出力端子と、前記基板ユニットに隣接する基板ユニットの駆動信号入力端子とを導通せしめた基板ブロックを備えることを特徴とする電気音響変換器。
【請求項２】
前記プリント体がコイルであり、前記コイルに対向した位置にそれぞれマグネットが設けられていることを特徴とする請求項１に記載の電気音響変換器。
【発明の詳細な説明】
【技術分野】
【０００１】
本発明は、電気信号を音響信号に変換する電気音響変換器に関するものであり、更に詳しくは、薄いフィルムの上にプリントコイルを形成したものを駆動板とする平面型電気音響変換器（フラットスピーカ）に関するものである。
【背景技術】
【０００２】
従来より、振動板（ダイアフラム）にプリントパターンのボイスコイルを多数形成した電気音響変換器（スピーカ）が使用されている。図３はその従来の電気音響変換器の構造例を模式的に示したものである。図３（ａ）は平面図、図３（ｂ）は正面縦断面図である。図４は、図３に示す電気音響変換器ユニットを多数組み合わせて使用した例を模式的に示した図である。
【０００３】
図３において、１は電気音響変換器構造を支えるフレーム、２はフレームの内部に設けられた平板状の振動板、３はフレーム１と振動板２との各周囲を繋ぐエッジ、４は振動板上に導線をプリントして形成されたボイスコイル、５はフレーム１の底部にボイスコイル４に対向して設けられたマグネット、６はフレーム１の一端部に設けられ、駆動信号を入力する駆動信号入力端子、７はフレーム１の他端部に設けられ、駆動信号入力端子６に入力された駆動信号を出力する駆動信号出力端子である。振動板２はエッジ３を介してフレーム１に支持されており、マグネット５はフレーム１に固定されている。振動板上にはボイスコイル４が形成されており、図３（ａ）に示すように、複数のボイスコイル４が縦横に配列され、すべてが直列になるように接続されている。以上のように構成された電気音響変換器の動作について説明する。
【０００４】
図３において、駆動信号入力端子６に印加された電気信号はボイスコイル４に供給され、マグネット５の磁界との相互作用によるフレミングの左手の法則に従って、力を受け、振動板を駆動させる。このようにして電気信号を音響信号に変換することができる。
【０００５】
図３に示すような電気音響変換器ユニットを多数組み合わせて使用する場合には、各ユニットを図４に示すように接続、結線して使用している。
【０００６】
しかしながら、図４に示すような従来の接続方法では、各ユニットを結線することにより大きな音量が再生できるようになるものの、複雑な配線作業が必要となり、配線の作業性が劣るという問題があった。
【特許文献１】特開２００４−５６７７１
【発明の開示】
【発明が解決しようとする課題】
【０００７】
本発明は、上記問題点を解決するものであり、薄いフィルム上に形成されたプリントコイルを振動板とする電気音響変換器ユニットを複数個並べた電気音響変換器システムにおいて、その電気音響変換器ユニットのターミナル部を双方に設置できるように、プリントコイルを配置することにより、配線材料を減少させ、音質、性能改善などを実現できる環境を提供することを目的とする。
【課題を解決するための手段】
【０００８】
上記目的を達成するために本発明の第１の構成は、基板上に導線がプリントされた複数個のプリント体を縦続接続したプリント体ユニットと、前記基板の一端部に設けられ、前記プリント体ユニットを駆動する駆動信号が入力される駆動信号入力端子と、前記基板の他端部に設けられ、前記駆動信号入力端子に入力される駆動信号をそのまま出力する駆動信号出力端子とを備える基板ユニットが縦続接続された基板ブロックであって、前記基板ユニットの駆動信号入力端子と接続、増設した増設用出力端子と、前記基板ユニットに隣接する基板ユニットの駆動信号入力端子とを導通せしめた基板ブロックを備えることを特徴とする。
【０００９】
本発明の第２の構成は、上記プリント体がコイルであり、前記コイルに対向した位置にそれぞれマグネットが設けられていることを特徴とする。
【発明の効果】
【００１０】
本発明の第１の構成によれば、基板ユニットに増設された増設用出力端子と該基板ユニットに隣接する基板ユニットの駆動信号入力端子とを導通せしめることにより、接続コードの長さを大幅に短縮することができるとともに、配線の作業性も向上できる。
【００１１】
本発明の第２の構成によれば、プリント体がコイルであり、該コイルに対向した位置にそれぞれマグネットが設けられていることにより、再生される音量を最大にすることができる。
【発明を実施するための最良の形態】
【００１２】
以下、本発明の実施の形態について、図面を参照しながら説明する。本発明の構成と従来の電気音響交換器の構成と共通する構成要素には、図３および図４で使用したのと同じ符号を付し、その詳細な説明を省略するものとする。図１は、本発明の電気音響変換器ユニットの構成を模式的に示した図であり、図１（ａ）は平面図、図１（ｂ）は正面縦断面図である。図２は、図１に示す電気音響変換器ユニットを多数組み合わせて使用する場合の接続の一例を模式的に示した図である。
【００１３】
図１において、１は電気音響変換器構造を支えるフレーム、２はフレーム１の内部に設けられた平板状の振動板、３はフレーム１と振動板２との各周囲を繋ぐエッジ、４は振動板２上に導線をプリントして形成されたボイスコイル、５はフレーム１の底部にボイスコイル４に対向して設けられたマグネットである。振動板２は、エッジ３を介してフレーム１に支持されており、マグネット５はフレーム１に固定されている。また、ボイスコイル４は、複数のボイスコイルが縦横に配列されている。
【００１４】
６はボイスコイル４を駆動する駆動信号が入力される駆動信号入力端子、７は駆動信号入力端子６に入力された駆動信号を出力する駆動信号出力端子、８および９は増設した増設用出力端子である。図１において、増設用出力端子８は駆動信号入力端子６と接続されており、増設用出力端子９は駆動信号出力端子７と接続されている。駆動信号入力端子６に印加された電気信号はボイスコイル４に供給され、マグネット５の磁界との相互作用によるフレミングの左手の法則に従って、力を受けて、振動板２を駆動させる。
【００１５】
図２は、図１に示した電気音響変換器ユニットを多数組み合わせて接続する場合の接続の一例を模式的に示すものである。図２において、増設用出力端子８はそれぞれ隣接するユニットの駆動信号入力端子６と導線で接続されている。さらに、増設用出力端子９はそれぞれ隣接するユニットの駆動信号出力端子７と導線で接続されている。これにより、隣り合う基板ユニット同士を最短距離で接続することができる。
【００１６】
上記のような接続が可能となることによって、駆動信号入力端子６および駆動信号出力端子７と増設用出力端子８、９の接続が簡便となるだけでなく、隣接する端子を接続するため接続コードも短くてよい。すなわち、本発明によれば、従来の電気音響変換器ユニットを接続する場合よりも配線を簡略化でき、作業性が向上するとともに、配線材料も削減することができる。さらに、このように接続することによって、音質や性能の改善なども実現可能となる。
【００１７】
また、振動板上に導線がプリントされたボイスコイル４に対向した位置にそれぞれマグネットが設けられていることが好ましい。コイルに対向した位置にそれぞれマグネットが設けられることにより、振動板の駆動が安定し、再生される音量が最大となるとともに、音質や性能の改善なども実現可能となる。
【００１８】
尚、電気音響変換器ユニットの接続方法は上記の実施形態に限られず、各ユニットの増設用出力端子８が隣接するユニットの駆動信号入力端子６と接続するものであれば、特に制限はない。例えば、各ユニットの駆動信号出力端子７は、図２に示すように各ユニットに隣接するユニットの増設用出力端子９と直接接続してもよいし、図４に示すような従来の方法で接続してもよい。
【産業上の利用可能性】
【００１９】
本発明は、電気音響変換器ユニットを複数個組み合わせる場合において、各ユニットの駆動信号入力端子と各ユニットに隣接するユニットの増設用出力端子を接続することにより、配線を簡略化した電気音響変換器に関する。
【図面の簡単な説明】
【００２０】
【図１】は、本発明の一実施形態である電気音響変換器の構成を示す図。
【図２】は、本発明の構成を持った電気音響変換器を４つ接続した場合の接続の一例を示す図。
【図３】は、従来の電気音響変換器の構成を示す図。
【図４】は、従来の電気音響変換器を４つ接続した場合の接続例を示す図。
【符号の説明】
【００２１】
１    フレーム
２    振動板
３    エッジ
４    ボイスコイル
５    マグネット
６    駆動信号入力端子
７    駆動信号出力端子
８    増設用出力端子
９    増設用出力端子
【図１】
2008067116.tif 000003
【図２】
2008067116.tif 000004
【図３】
2008067116.tif 000005
【図４】
2008067116.tif 000006